(57)【特許請求の範囲】
【請求項１】
個人を識別するための個人認証システムであって、個人認証用記録体と、本体とからなり、前記認証用記録体には、個人を識別できる複数種類の識別データを記録した識別情報記録部と、一又は複数種類の認証データを入力する順列がコード化された用途別コードを、個人認証システムの用途ごとに割り当てて複数記憶した用途別コード記録部を備え、前記本体には、前記個人認証システムの利用者から前記一又は複数種類の認証データの入力を受け付ける認証データ入力部と、前記一又は複数種類の認証データの入力を受け付けた順列が前記用途別コード記録部に記録された前記用途別コードと一致するか否かを判定する第１比較部と、前記入力された各認識データが前記識別情報記録部に記録された前記識別データと一致するか否かを判定する第２比較部とを備え、前記第１比較部および第２比較部において一致している場合に前記第１比較部で一致すると判定された用途別コードに対応する用途の情報を個人情報メモリから読み出すことを特徴とする個人認証システム。
【請求項２】
前記識別データとして人体の表面に現れる紋を用いる請求項１記載の個人認証システム。
【発明の詳細な説明】
【０００１】
【発明の属する技術分野】
本発明はＩＣカードなどを用いて個人を認証する個人認証システムに関し、特に複数の用途や機種に対応する個人認証システムに関する。
【０００２】
【従来の技術】
従来から、個人の認証は銀行における自動支払機などにおいて行われてきている。自動支払機においては、キャッシュカードを用いて個人の認証が行われている。認証の手順を以下に説明する。
【０００３】
正当にキャッシュカードをしようできる者の暗証番号はキャッシュカードに記録されており、カードを使用する者は自動支払機に暗証番号を入力する。自動支払機は、キャッシュカードに記録された暗証番号とカード使用者の入力した暗証番号を比較する。比較して一致していれば、カード使用者は正当にカードをしようできる者であると判断する。一致していなければ、カード使用者は正当にカードを使用できる者ではないと判断する。
【０００４】
また、例えば入出国や医療といった複数の用途で認証を必要とする場合は、用途ごとの複数の暗証番号を必要とする。単一の暗証番号だけですませれば、暗証番号を第三者に盗まれたときに、全ての用途において、第三者が本人（正当にカードをしようできる者）になりすますことができるからである。よって、複数の用途で認証を必要とする場合は、用途ごとに複数のカードを用いて認証する。
【０００５】
さらに、用途は同じでも認証を行うべきシステムが異なる場合、システムごとに複数のカードを用いて認証する。例えば、銀行口座からの金銭の引き出しとという用途は同じでも、異なる銀行に口座を持っているような場合は、口座ごとに複数のカードを用いて認証する。
【０００６】
【発明が解決しようとする課題】
しかしながら、上記に対応して、上記のように用途や認証を行うシステムごとに複数のカードを用いて認証することは、カード使用者にとってわずらわしい。よって、単一のカードで複数の暗証番号あるいはそれに変わるデータ（例えば本人の指紋、虹採紋など）を扱えるようにする事が望ましい。そこで、本発明は、単一のカードで複数の暗証番号あるいはそれにかわるデータ（例えば本人の指紋、虹採紋など）を扱えるようにする個人認証システムを提供することを課題とする。
【０００７】
【課題を解決するための手段】
本発明は、個人を識別するための個人認証システムであって、個人認証用記録体と、本体とからなり、前記認証用記録体には、個人を識別できる複数種類の識別データを記録した識別情報記録部と、一又は複数種類の認証データを入力する順列がコード化された用途別コードを、個人認証システムの用途ごとに割り当てて複数記憶した用途別コード記録部を備え、前記本体には、前記個人認証システムの利用者から前記一又は複数種類の認証データの入力を受け付ける認証データ入力部と、前記用途別コードが前記用途別コード記録部に記録された前記一又は複数種類の認証データの入力を受け付けた順列と一致するか否かを判定する第１比較部と、前記入力された各認識データが前記識別情報記録部に記録された前記識別データと一致するか否かを判定する第２比較部とを備え、前記第１比較部および第２比較部において一致している場合に前記第１比較部で一致すると判定された用途別コードに対応する用途の情報を個人情報メモリから読み出す。
【０００８】
識別データとは、パスワード、指紋などである。識別データの組み合わせとは、パスワードを打ってから右親指指紋を読み取らせるといった、一連の流れである。
【０００９】
識別データの人体の表面に現れる紋とは、例えば指紋、掌紋、虹彩紋などである。
【００１０】
用途別コードの認証データの組み合わせが予定の時間ごとに変更される。所定の時間とは、例えば、曜日、月ごとといったものである。
【００１１】
【発明の実施の形態】
以下、本発明の実施の形態を図面を参照して説明する。
【００１２】
図１は第１の実施の形態にかかる個人認証システムのブロック図である。
【００１３】
個人認証システム１はＩＣカード１０（個人認証用記録体）と本体２０を備える。個人認証システム１の利用者はＩＣカード１０を本体２０に、ＩＣカード１０側のインタフェース１９と本体２０のインタフェース２５を介して接続する。
【００１４】
次に、利用者はスキャナ２８およびキーボード２９といった認証データ入力部に対応したものをもって、認証データを入力する。認証データとは、後述する識別データに対応するものであり、例えば利用者の指紋やパスワードといったものあるいはその組み合わせである。あるいは声紋も含む。認証データ入力部は、このときは、しコーダを含むことになる。
【００１５】
次に、第１比較部２４において、利用者が入力した認証データが用途別コードメモリ１６に記録された用途別コードに一致しているかを比較する。用途別コードの例を図３に示す。図３（ａ）のように、用途ごとにコードが割り当てられている。図３（ａ）に示す用途別コードの意味は、図３（ｂ）のとおりである。すなわち、医療にＩＣカード１０を用いたいときは、パスワードのみ入力し、保険にＩＣカード１０を用いたいときは、ある指の指紋を入力してから、掌紋を入力する。用途別コードの内容は、指紋、掌紋、虹採紋などのように人体の表面に現れる紋でもよい。なお、図３（ｃ）のように曜日ごとに、用途別コード変更してもよい。図３（ｃ）のようなテーブルを用途別コードメモリ１６に記録しておけば可能である。
【００１６】
次に第２比較部２６において、利用者が入力した認証データが識別情報メモリ１８に記録された識別データに一致しているかを比較する。これは、利用者が入力した指紋やパスワードなどが、正しいものかを判定するものである。
【００１７】
そして、第１比較部２４および第２比較部２６において一致していると判断されたならば、個人の医療や図書貸し出しなどの個人の多用途にわたる情報を記録した個人情報メモリ１４から、用途ごとに情報を読み出したりする。よって、多用途に対応できる。
【００１８】
なお、ディスプレイ２９は利用者に、各種情報を表示する。ＣＰＵ１２、２２むはＩＣカード１０と本体２０の各部を制御し、バス１７，２７は、ＩＣカード１０と本体２０の各部を結合する。
【００１９】
さらに、第１比較部２４または第２比較部２６において一致していないと判断されたならば、ＣＰＵ１２又は２２により、個人情報メモリ１４の内容を消去する。
【００２０】
なお、個人情報メモリ１４の内容は、図示省略した機密保管システムに記録され、利用者が所定のパスワードを機密保管システムに入力したときに、ＩＣカードを発行、再発行するようにしてもよい。
【００２１】
上記構成において、用途別コードメモリ１６は用途別コード記録部に、識別情報メモリ１８は市は別情報記録部に、それぞれ対応する。
【００２２】
図２は本発明の第２の実施の形態を示すブロック図であり、第１の実施の形態と同様な部分は、図１と同じ番号を付して説明を省略する。第２の実施の形態は非接触型のＩＣカードである点が第１の実施の形態と異なる。ＬＣ同調回路１１，２が交信する。また、ＩＣカード１０には充電可能なバッテリ１９が備えられ、電線１３によりバッテリ１９から各部に電源が供給される。
【００２３】
ＩＣカード１０のＬＣ同調回路１１は図示省略した通信装置（例えば、携帯電話）からのデータをも受けとることができる。かかる通信装置から、ある特定のコード（破壊コード）を受けると、ＣＰＵ１２または２２により、個人情報メモリ４の内容を消去するようにしても良い。また、ＬＣ同調回路１１から電波を発信することができる。よって、ＩＣカード１０の１がかかる電波から検知できる。上記構成において、ＬＣ同調回路１は交信部に対応する。
【００２４】
このような実施の形態の例として、緊急発信用への用途が考えられる。生命に非常に重大な異常が襲ってきた場合や重大な危険に見舞われた場合などのよう緊急和を要する場合に、カードを折り曲げることによってカード内部の検知手段がカードの折り曲げを検知し、カード内部に構成された回路によってカードが折り曲げられた場合に対応する特殊な発信が行われる。この特殊な発信は、最も近い緊急センターに発信が届くシステムとなっており、その発信されたシグナルの位置が何処から発信されているのかを確認することができる。そのため、救急隊員などの救助者はカード所有者のもとに到達し、救助活動を行うことができる。一方、上述したような場合ほど緊急を要するものでない場合、即ち通常の生命に異常でない場合の１１９番や１１０番通報のような緊急発信の利用においては、カードの所定の位置を強く押すことで、カード内部の回路が通常の発信を行う。
【００２５】
第３の実施の形態は、第１およびび第２の実施の形態におけるスキャナ２８に関するもの、特に指紋スキャナに関するものである。
【００２６】
図４は第３の実施の形態にかかる指紋スキャナの側面および正面断面図である。光源１２４から照射された光は、透明な指のせ台（例えばガラス、樹脂）１２２を通して、指１１０の指紋部分１１１に反射され、ＣＣＤ１２６にとらえられる。図４（ｂ）に示すように、透明な指のせ台１２２は円筒形であり、指紋部分１１１にその内壁が適合している。すなわち、指適合部分１２３が指のせ台１２２にある。
【００２７】
第４の実施の形態は、第３の実施の形態の指のせ第１２２の形状を変化させたものである。
【００２８】
指のせ台１２２は円筒形でなくてもよく、例えば、図５（ａ）のように半円筒形、図５（ｂ）のように楕円形を半分にしたものでもよい。要するに指適合部分１２３があればよく、円筒形には限らないし、半円筒形、楕円形を半分にしたものにも限らない。
【００２９】
第５の実施の形態は、第１及び第２の実施の形態におけるスキャナ２８に関するもの、特に虹彩スキャナに関するものである。
【００３０】
図６のように、ＣＰＵ２１５はバス２１９を介して各部を制御する。光源２１０は眼球２２０を光の強さを図示されていない変調素子で、例えば、ｎ、（ｎ＋Δｓ１）、（ｎ＋Δｓ２）、…ルクスと変化させて眼球２２０を照射する。変調素子としては、例えば、光源に供給する電力を調節する可変抵抗体や、レンズを使用して強度を調節する方法などを用いることができる。ここで、照射する光の強さであるｎ、（ｎ＋Δｓ１）、（ｎ＋Δｓ２）、…ルクスの値も第三者に知られてはいけない情報であり、使用者が個人認証システムの作成時に設定するものである。光を眼球に照射すると、例えば瞳孔が開閉することにより、眼球２２０の虹彩の画像（パターン）が変化する。
【００３１】
このように、強さの違う光をあてたときの瞳孔と併せて虹彩の形態色調をＣＣＤカメラ２１２で撮像する。ＣＣＤカメラ２１２で取り入れた画像は適宜撮像メモリ（フレームメモリ）２１４で保存する。メモリ２１６は虹彩テーブル２１６ａを有している。虹彩テーブル２１６ａの詳細を図７に示す。すなわち、光源の光の強さｎ、（ｎ＋Δｓ１）、（ｎ＋Δｓ２）、・・・ルクスと、虹彩の画像パターンＡ，Ｂ，Ｃが対応づけられている。比較部２１８は、虹彩テーブル２１６ａと撮像メモリ２１４の画像を、光源の各光の強度ごとに比較する。もし全て一致すれば、本人であると認証できる。なお、図６では、説明上便宜的に眼球２２０と、光源２１０及びＣＣＤカメラ２１２の距離が離れているけれども、実際に本発明を実施するときには、光源からの光の強度が外部から測定されないように眼球２２０と光源２１０及びＣＣＤカメラ２１２との間には覆いがされる。
【００３２】
第１および第２の実施形態においては、指紋などの識別情報をＩＣカード１０内部の識別情報メモリ１８に記録する。しかし、第６の実施形態においては、指紋などの識別情報を、黒点や×印などの点を印字したコードにより記録する。
【００３３】
第６の実施の形態である図８は、指紋３２０から放射軸ごとのデータを取るときの模式図である。ある一点３１０を中心として、そこから放射軸３１２が伸びている。それと指紋３２０との後転３２１の一点３１０からの距離を放射軸３１２ごとにデータをとる。
【００３４】
図９は、データを記録面に記録するときの模式図である。記録中心３３０から放射軸３１２に対応する記録放射軸３３２にデータを点３３３のごとく打ち込む。いうなれば、指紋を放射軸ごとにサンプリングしたようなものである。なお、これは指紋に限らず、虹彩紋、掌紋なども同様である。また、点３３３は黒点、×印など色々なものが考えられる。
【００３５】
図１０に、かかるコード体３５０を利用したＩＣカード３４０を示す。コード体３５０は、複数の記録面３５１，３５２，３５３を備える。そこで、コード体３５０は、球のように見える。これにより、複数の指紋データなどを記録できる。
【００３６】
図１１に、かかるコード体３５０の読み取り法を示す。スキャナ３６０は、二股になっており、読み取り部３６１が左右に別れている。これを図１１（ａ）に示すように、前後に進退させる。後退させたときに、図１１（ｂ）に示すように、左に回転させて、しかる後にスキャナ３６０を前進させる。そして、各記録面ごとに点３３３を読み取っていく。
【００３７】
このように、放射軸ごとにサンプリングしているため、一致しているかどうかの比較にかける時間が節約できる。
【００３８】
以上の各実施の形態で説明した本発明の個人認証システムの用途は、医療、保険証、ＩＤ、不動産権利証、保険証書、図書、乗車用、買物、航空券国際間の利用、通信、個人財産管理、車検証、銀行取引、郵便用支払預貯金、郵送料、緊急発信、位置確認などのあらゆる分野に利用することができる。例えば、本発明の個人認証システムを緊急発信用に用いる場合について説明すると、生命に非常に重大な異常が襲ってきた場合や重大な危険に見舞われた場合などのような緊急を要する場合に、カードを折り曲げることによってカード内部の検知手段がカードの折り曲げを検知し、カード内部に構成された回路によってカードが折り曲げられた場合に対応する特殊な発信が行われる。この特殊な発信は、最も近い緊急センターに発信が届くシステムとなっており、その発信されたシグナルの位置が何処から発信されているのかを確認することができる。そのため、救急隊員などの救助者はカード所持者のもとに到達し、救助活動を行うことができる。一方、上述したような場合ほど緊急を要するものでない場合、即ち通常の生命に異常でない場合の１１９番や１１０番通報のような緊急発信の利用においては、カードの所定の位置を強く押すことで、カード内部の回路が通常の発信を行う。
【００３９】
本発明の個人認証システムをカードとして実施する場合の当該カードの外見について、当該カードの表面への記載はなんら必要とされない。そして、当該カード表面の凹凸も無くてよい。カードは硬質のカバーで覆われており、このコーティングを破壊するとカードの内容はすべて消去され、破壊されるように構成されている。したがって、第三者がカードの内容を調査したり、その機能を調べることは不可能であり、偽造（模倣）されることは無いので、セキュリティの面での安全性が高い。なお、カードの表面（コーティング部分）には、ＰＲ用やその他の情報を表示するようにしても良い。
【００４０】
【実施例】
虹彩スキャナを用いた個人認証システムを、図１２乃至図１４を参照しながら説明する。図１２は虹彩スキャナを用いた個人認証システムの一実施例を示す外観図であり、図１４は当該登録認証装置の接眼部の断面の模式図を示すものである。
【００４１】
登録認証装置４００は、図１３（Ａ）に示されるように、接眼部４０１、スケール４０２、キーボードなどの入力部４０３、調光つまみ４０５、カード挿入部４０６、ディスプレイ４０７、スピーカ４０８、測定ボタン４３６などから成る。又、図１３（Ｂ）の側面図に見られるように、装置の出幅Ｗは接眼部４０１に当該装置の利用者が容易に接眼でき、必要な操作を行い得る幅を持つものである。接眼部４０１は、両眼用でも片眼用でも良い。又、その接眼部４０１の断面は図１４に示されるように、照射する光の強度が外に漏れないように、又は外部光が内部に漏れないように顔面（目）に密着するマスク部４１１が取り付けられている。接眼部４０１の内部には、虹彩測光用の光源４１２と、光源４１２からの光を調節する調光レンズ４１３Ａ、４１３Ｂと、接眼窓４１４とが設けれらている。又、接眼部４０１の内部には、利用者の眼球への光の照射によって変化する目４２０中の虹彩パターンを読取って記録するためのＣＣＤセンサ４１５が光の照射を妨害しないように配設され、目４２０への光の強度を測定するためのＣＣＤ素子４１６が取り付けられている。ここで、調光レンズ４１３Ａ、４１３Ｂは単数であっても、３枚以上であっても良い。
【００４２】
以下、図１２のブロック図及び図１３に示す装置の外観図を参照しながら説明する。図１に示される第１の実施形態に示されるようなＩＣカードを登録認証装置４００のカード挿入部４０６に挿入すると、カード挿入検知手段４３０によりカードの挿入が検知され、スイッチ４３１がＯＮされ、虹彩測光用の光源４１２の光源点灯回路４３２が起動される。
【００４３】
利用者は、スピーカ４０８から出力されるガイド音声や、或いはディスプレイ４０７に表示されるガイド表示等の指示に従って接眼部４０１への接眼や、キーボードなどの入力部４０３からの暗証番号等の入力を行う。接眼部４０１への接眼が指示された場合、利用者は図１４に示されるように目４２０を接眼部４０１へ接眼し、調光つまみ４０５で光源４１２からの照射光の強度（ルクス）を調節する工程に入る。
【００４４】
調光つまみ４０５を操作するとＣＣＤ素子４１６等で成るルクス検出手段４３３が働き、利用者は登録認証装置４００からの指示に従って、或いは図１３のスケール４０２を見ながら、調光つまみ４０５で眼球に当てる光の強さ（ルクス）を調整できる。スケール４０２はＣＣＤ素子４１６位置での光の強さを目視できるように表示する。
【００４５】
照射する光の強さが、適当なものとなった時、利用者は測定ボタン４３６を押し、その時の光の強さ（ルクス）による瞳孔と虹彩の形態色調を含んでいる眼球のイメージを図６に示されるように、ＣＣＤセンサ４１５で撮影し、同時にそのときのルクス検出手段４３３の値及びＣＣＤセンサ４１５で撮影されて必要な画像処理を施されたパターンをメモリ４３４に記録する。認証時には、登録時に測定したスケール４０２の値に合わせて調整つまみ４０５を調整して光源４１２の強度を調整するが、更にわずかに光の強さ（ルクス）をΔｓ１（又は、Δｓ２、Δｓ３、・・・）だけ上下に変化させたときのがんきゅうのイメージをＣＣＤセンサ４１５で撮影し、メモリ４３４に記録されたイメージ若しくは測定されたイメージは、メモリ４３４中の虹彩テーブルに記憶されている光の強さ（ルクス）とそれに対応する虹彩の画像パターンと比較され、カードの利用者が真のカード所有者であるかどうかを虹彩パターン検出手段４３５によって判断する。虹彩パターン検出手段４３５による判断によって、カードの利用者が真のカードの所有者であると確認されると、その後の図書貸し出しの処理や現金の引き出し処理などの処理が実行されることになる。
【００４６】
処理の終了後、利用者が登録認証装置４００のカード挿入部４０６からＩＣカードを抜き取ると、照合時に使用した照射した光の強度は初期状態にリセットされることにより、光源４１２に自動的に消灯するように構成されているので、第三者によって利用者が使用する光の強度が知られることはない。
【００４７】
以上の装置の実施にあたって、虹彩のイメージを撮像するときに使用する光の強さ（ルクス）値は、暗証番号としての役割を果たすものであるから、利用者は光の強さ（ルクス）の値（スケール４０２の値）を記憶している必要がある。しかし、実際には光の強さ（ルクス）を正確に覚えておくのは困難なこともあるので、予めカードに記憶させておくようにすることも可能である。この場合、予めカードに記憶されている光の強度を導くようにするために、装置が利用者に対して指示を出して、利用者はその指示にしたがって調光つまみ４０５で光の強さ（ルクス）を調整するか、或いは予めカードに記憶させておいた光の強度を利用者が得るがめに図１３のスケール４０２を相対的なガイドとして使用する。このときのスケール４０２は、絶対的な光の強さ（ルクス）を表示するものであってもよいが、光の強さ（ルクス）は前述したように、秘密とされるべき情報であるので、相対的な表示法を採ることが望ましい。
【００４８】
なお、図１３と図１４は、本発明の一実施例であり、本発明がこれに限定されるものではない。例えば、この図１３ではキーボード４０３とディスプレイ４０７が別々になっているけれども、タッチパネル式のディスプレイを用いて両者を統合することも可能である。
【００４９】
【発明の効果】
本発明は、個人認証システムの利用者から前記一又は複数種類の認証データの入力を受け付ける認証データ入力部と、前記用途別コードが前記用途別コード記録部に記録された前記一又は複数種類の認証データの入力を受け付けた順列と一致するか否かを判定する第１比較部と、前記入力された各認識データが前記識別情報記録部に記録された前記識別データと一致するか否かを判定する第２比較部とを備え、前記第１比較部および第２比較部において一致している場合に前記第１比較部で一致すると判定された用途別コードに対応する用途の情報を個人の医療や図書貸し出しなどの個人の多用途にわたる情報を記録した個人情報メモリーから、用途ごとに情報を読み出すことができ、その結果多用途に対応した個人認証システムを提供できるという効果がある。
【図面の簡単な説明】
【図１】  本発明の第１の実施形態にかかる個人認証システムのブロック図である。
【図２】  本発明の第２の実施形態にかかる個人認証システムのブロック図である。
【図３】  用途別コードの例を示した図である。
【図４】  本発明の第３の実施形態にかかる指紋スキャナの側面および正面の断面図である。
【図５】  本発明の第４の実施形態にかかる指紋スキャナの正面の断面図である。
【図６】  本発明の第５の実施形態にかかる虹彩照合装置のブロック図である。
【図７】  虹彩テーブル２１６ａの詳細を示す図である。
【図８】  指紋３２０から放射軸ごとのデータを取るときの模式図である。
【図９】  データを記録面に記録するときの模式図である。
【図１０】  コード体３５０を利用したＩＣカード３４０の平面図および側面図である。
【図１１】  コード体３５０の読み取り法を示す図である。
【図１２】  本発明の虹彩スキャナを用いた個人認証システムの内部構成例を示すブロック図である。
【図１３】  本発明の虹彩スキャナを用いた個人認証システムの一実施例を示す図であり、（Ａ）は正面図を、そして、（Ｂ）は側面図を示す。
【図１４】虹彩スキャナを用いた個人認証システムの接眼部の構造を模式的に示す図である。
【符号の説明】
１０  ＩＣカード
１６  用途別コードメモリ
１８  識別情報メモリ
２０  本体
１４  第１比較部
２６  第２比較部
２８  スキャナ
２９  キーボード
１２２  指のせ台
１２３  指適合部分
１２４  光源
１２６  ＣＣＤ
２１０  光源
２１２  ＣＣＤカメラ
２１６ａ  虹彩テーブル
２１８  比較部
２２０  眼球
３１０  一点
３１２  放射軸
３２０  指紋
３３０  記録中心
３３２  記録放射軸
４００  登録認証装置
４０１  接眼部
４０２  スケール
４０３  入力部
４０５  調光つまみ
４０７  ディスプレー
４０８  スピーカ
４１１  マスク部
４１２  光源
４１３Ａ  調光レンズ
４１３Ｂ  調光レンズ
４１４  接眼窓
４１５  ＣＣＤセンサ
４１６  ＣＣＤ素子
４２０  目
【図１】
0003635284.tif 000002
【図２】
0003635284.tif 000003
【図３】
0003635284.tif 000004
【図４】
0003635284.tif 000005
【図５】
0003635284.tif 000006
【図６】
0003635284.tif 000007
【図７】
0003635284.tif 000008
【図８】
0003635284.tif 000009
【図９】
0003635284.tif 000010
【図１０】
0003635284.tif 000011
【図１１】
0003635284.tif 000012
【図１２】
0003635284.tif 000013
【図１３】
0003635284.tif 000014
【図１４】
0003635284.tif 000015